(57)【特許請求の範囲】
【請求項１】
低域成分を持ったデータが記録された光ディスクから読みだした再生信号を入力し、該再生信号に含まれる低域成分を所定の遮断周波数で遮断する高域通過フィルタと、
前記高域通過フィルタの後段に接続された加算回路と、
前記加算回路の後段に接続され、前記加算回路の出力信号を所定の比較レベルと比較して２値化信号を生成する２値化回路と、
前記２値化回路の後段に接続され、前記２値化回路の出力信号の振幅の利得を制御する利得制御回路と、
前記利得制御回路の後段に接続され、前記高域通過フィルタによってカットされた周波数成分を補償するため、前記利得制御回路から出力された信号に含まれる高域成分を所定の遮断周波数で遮断して低域成分を通過させて前記加算回路に出力する低域通過フィルタと、
前記読みだした再生信号を包絡線検波し、該包絡線検波した信号の振幅を検波するエンベロープ検波回路と
を有し、
前記高域通過フィルタの遮断周波数と前記低域通過フィルタの遮断周波数とは等しく、前記高域通過フィルタと前記低域通過フィルタとは相補的な周波数特性を有し、
前記利得制御回路は、前記エンベロープ検波信号で検出した包絡線検波信号の振幅に応じて、当該利得制御回路からの利得制御信号の振幅が前記読みだした再生信号の振幅と等しくなるように、当該利得制御回路からの利得制御信号の振幅を制御する、
光ディスク再生装置に用いる信号再生回路。
【請求項２】
前記利得制御回路は、
少なくとも２つの直並列接続された抵抗と、
前記２つの直並列抵抗による抵抗値を変化させるスイッチ回路と
を有し、
前記エンベロープ検波回路は、前記包絡線検波した信号の振幅を所定レベルと比較し、前記包絡線検波した信号の振幅が所定レベル以下のとき第１論理レベル、前記包絡線検波した信号の振幅が所定レベル以上のとき第２論理レベルの信号を出力する回路を有し、
前記利得制御回路のスイッチ回路が前記エンベロープ検波回路から出力される信号が第１論理レベルのときオン状態となり、第２論理レベルのときオフ状態となり、前記スイッチ回路がオン状態のとき、当該利得制御回路からの利得制御信号の振幅が前記読みだした再生信号の振幅と等しくなるように、当該利得制御回路が構成されている、
請求項１に記載の信号再生回路。
【請求項３】
低域成分を持ったデータが記録された光ディスクから読みだした再生信号を入力し、該再生信号に含まれる低域成分を所定の遮断周波数で遮断する高域通過フィルタと、
前記高域通過フィルタの後段に接続された加算回路と、
前記加算回路の後段に接続され、前記加算回路の出力信号を所定の比較レベルと比較して２値化信号を生成する２値化回路と、
前記２値化回路の後段に接続され、前記２値化回路の出力信号の振幅の利得を制御する利得制御回路と、
前記利得制御回路の後段に接続され、前記高域通過フィルタによってカットされた周波数成分を補償するため、前記利得制御回路から出力された信号に含まれる高域成分を所定の遮断周波数で遮断して低域成分を通過させて前記加算回路に出力する低域通過フィルタと、
前記読みだした再生信号を包絡線検波し、該包絡線検波した信号の振幅を検波するエンベロープ検波回路と
を有し、
前記高域通過フィルタの遮断周波数と前記低域通過フィルタの遮断周波数とは等しく、前記高域通過フィルタと前記低域通過フィルタとは相補的な周波数特性を有し、
前記利得制御回路は、前記エンベロープ検波信号で検出した包絡線検波信号の振幅に応じて、当該利得制御回路からの利得制御信号の振幅が前記読みだした再生信号の振幅と等しくなるように、当該利得制御回路からの利得制御信号の振幅を制御する、
信号再生回路を備えた光ディスク再生装置。
【請求項４】
前記利得制御回路は、
少なくとも２つの直並列接続された抵抗と、
前記２つの直並列抵抗による抵抗値を変化させるスイッチ回路と
を有し、
前記エンベロープ検波回路は、前記包絡線検波した信号の振幅を所定レベルと比較し、前記包絡線検波した信号の振幅が所定レベル以下のとき第１論理レベル、前記包絡線検波した信号の振幅が所定レベル以上のとき第２論理レベルの信号を出力する回路を有し、
前記利得制御回路のスイッチ回路が前記エンベロープ検波回路から出力される信号が第１論理レベルのときオン状態となり、第２論理レベルのときオフ状態となり、前記スイッチ回路がオン状態のとき、当該利得制御回路からの利得制御信号の振幅が前記読みだした再生信号の振幅と等しくなるように、当該利得制御回路が構成されている、
請求項３に記載の光ディスク再生装置。
【発明の詳細な説明】
【０００１】
【発明の属する技術分野】
本発明は、再生信号の急激な（局所的な）振幅変化にも適切に対応できる光ディスク再生装置と、光ディスク再生装置に用いる信号再生回路に関する。
【０００２】
【従来の技術】
近年、ディジタルデータを記録する光磁気や追記型の光ディスクにおいては、記録線密度向上のためランレングス符号ＲＬＬ（１，７）などの直流成分および低域成分を持った変調符号が採用されている。
ところで、光ディスクの再生信号には、光ディスク表面の汚れやゴミ、メディア（記録媒体）の欠陥、反射率の不均一性、記録感度変動の不均一性、フォーカスおよびトラッキングサーボの残留エラーなどによる低域ノイズが存在し、データの検出誤りを防ぐためには、このような低域ノイズを除去する必要がある。
従来では、このような低域ノイズを除去するために、低域遮断フィルタ、すなわち、高域通過フィルタが用いられている。
【０００３】
【発明が解決しようとする課題】
しかしながら、前述したような低域ノイズと、変調符号の低域成分とでは帯域が共通している部分があり、低域ノイズを除去するために高域通過フィルタを用いると、変調符号の低域成分もノイズと共に除去され、検出誤りが増加してしまうという問題がある。
【０００４】
本発明は、上述した従来技術に鑑みてなされ、変調符号の低域成分の影響を受けることなく、データを高精度に検出することができる光ディスク再生装置と、光ディスク再生装置に用いる信号再生回路を提供することを目的とする。
【０００５】
【課題を解決するための手段】
本発明によれば、低域成分を持ったデータが記録された光ディスクから読みだした再生信号を入力し、該再生信号に含まれる低域成分を所定の遮断周波数で遮断する高域通過フィルタと、前記高域通過フィルタの後段に接続された加算回路と、前記加算回路の後段に接続され、前記加算回路の出力信号を所定の比較レベルと比較して２値化信号を生成する２値化回路と、前記２値化回路の後段に接続され、前記２値化回路の出力信号の振幅の利得を制御する利得制御回路と、前記利得制御回路の後段に接続され、前記高域通過フィルタによってカットされた周波数成分を補償するため、前記利得制御回路から出力された信号に含まれる高域成分を所定の遮断周波数で遮断して低域成分を通過させて前記加算回路に出力する低域通過フィルタと、前記読みだした再生信号を包絡線検波し、該包絡線検波した信号の振幅を検波するエンベロープ検波回路とを有し、
前記高域通過フィルタの遮断周波数と前記低域通過フィルタの遮断周波数とは等しく、前記高域通過フィルタと前記低域通過フィルタとは相補的な周波数特性を有し、
前記利得制御回路は、前記エンベロープ検波信号で検出した包絡線検波信号の振幅に応じて、当該利得制御回路からの利得制御信号の振幅が前記読みだした再生信号の振幅と等しくなるように、当該利得制御回路からの利得制御信号の振幅を制御する、
光ディスク再生装置に用いる信号再生回路が提供される。
【０００６】
また本発明によれば、上記信号再生回路を有する光ディスク再生装置がが提供される。
【０００７】
好ましくは、前記利得制御回路は、少なくとも２つの直並列接続された抵抗と、前記２つの直並列抵抗による抵抗値を変化させるスイッチ回路とを有し、
前記エンベロープ検波回路は、前記包絡線検波した信号の振幅を所定レベルと比較し、前記包絡線検波した信号の振幅が所定レベル以下のとき第１論理レベル、前記包絡線検波した信号の振幅が所定レベル以上のとき第２論理レベルの信号を出力する回路を有し、
前記利得制御回路のスイッチ回路が前記エンベロープ検波回路から出力される信号が第１論理レベルのときオン状態となり、第２論理レベルのときオフ状態となり、前記スイッチ回路がオン状態のとき、当該利得制御回路からの利得制御信号の振幅が前記読みだした再生信号の振幅と等しくなるように、当該利得制御回路が構成されている。
【０００８】
本発明の光ディスク再生装置に用いる信号再生回路では、高域通過フィルタによって、再生信号に含まれる低域ノイズを除去し、その際に失われた再生信号の低域成分を、２値化信号から抽出した再生信号の低域成分を帰還して、高域通過フィルタの出力に加算することによって、低域成分が再生された信号を生成することができる。
さらに、再生信号の急激な振幅変化に対しては、再生信号のエンベロープを検出して、検出したエンベロープのレベルが所定レベル以下である場合を検出し、検出した期間、利得制御回路において、振幅変化に対応させて、帰還ループの帰還量を制御する。
これにより、低域ノイズの影響を受けることなく、大きな信号欠落部においてもデータの検出を安定して高精度に行うことができる。
【０００９】
【発明の実施の形態】
以下、本発明の実施形態に係わるに光ディスク再生装置と光ディスク再生装置に用いる信号再生回路について説明する。
図１は、本実施形態の光ディスク再生装置に用いる信号再生回路１０の構成図である。
図１に示すように、信号再生回路１０は、ハイパスフィルタ（ＨＰＦ、高域通過フィルタ）１、加算器（加算回路）２、コンパレータ回路（２値化回路）３、ゲイン制御回路（利得制御回路）４、ローパスフィルタ（ＬＰＦ、低域通過フィルタ）５、エンベロープ検波回路６およびパルス生成回路７で構成される。
ハイパスフィルタ１は、再生信号Ｓ０に対して、遮断周波数１／（２πＲＣ）〔Ｈｚ〕で、高域通過フィルタリングを行い、フィルタリングされた再生信号Ｓ１を加算器２に出力する。このフィルタリングによって、再生信号Ｓ０に含まれる低域ノイズが除去される。このとき、同時に、再生信号Ｓ０の低域成分も除去されてしまう。例えば、図２（Ａ）に示すような再生信号Ｓ０が入力された場合には、図２（Ｂ）に示すような再生信号Ｓ１が出力される。
ハイパスフィルタ１は、図４に示すように、コンデンサ１１および抵抗１２を配置することで、再生信号Ｓ０に対して、ハイパスフィルタとしての機能を発揮する。
【００１０】
加算器２は、低域ノイズおよび低域成分が除去された再生信号Ｓ１と、ローパスフィルタ５からの帰還信号Ｓ５とを加算し、その加算信号Ｓ２をコンパレータ回路３に出力する。加算信号Ｓ２は、低域成分が除去された再生信号Ｓ１に、その除去された低域成分を含む帰還信号Ｓ５を加算したものであり、低域成分が再生された再生信号である。
例えば、図２（Ａ），（Ｄ）に示すような再生信号Ｓ０および帰還信号Ｓ５の場合には、図２（Ｅ）に示すような加算信号Ｓ２になる。
コンパレータ回路３は、加算信号Ｓ２を符号化するための回路である。具体的には、このコンパレータ回路３は、所定の比較レベルで、加算信号Ｓ２を２値化し、この２値化信号Ｓ３を光ディスク再生装置１０の再生出力として出力すると共に、帰還信号Ｓ３としてゲイン制御回路４にも出力する。例えば、加算信号Ｓ２の波形が、図２（Ｅ）に示すような場合には、２値化信号Ｓ３の波形は、図２（Ｃ）に示すようになる。
【００１１】
ゲイン制御回路（利得制御回路）４は、パルス信号Ｓ７に基づいて、帰還信号Ｓ３のゲインを適性値に制御し、その制御された帰還信号Ｓ４をローパスフィルタ５に出力する。
ここで、適性値とは、再生信号Ｓ０と帰還信号Ｓ４との振幅を等しくするような値である。
ゲイン制御回路４は、例えば、図３に示すように、直並列回路に接続された固定抵抗２１，２２，２３およびスイッチ２４を用いて構成される。この例では、図５（Ｃ）に示すパルス信号Ｓ７がローレベルになると、スイッチ２４が閉じてゲイン減衰量（ゲイン制御回路４の出力信号の振幅の減衰量）が、スイッチ２４を開いた場合に比べて大きくなる。このとき、パルス信号Ｓ７がローレベルになるのは再生信号Ｓ０のレベルが低下したときであるため、この低下に対応させて、再生信号Ｓ０の振幅よりも帰還信号Ｓ４の振幅を小さくし、帰還ループの発散を防ぐ。尚、図３に示す固定抵抗２３の抵抗値は０オームでも充分な効果が得られる。これは、振幅の低下が、信号の低域成分が大きい部分で起きる頻度が、現実にはそれほど高くないためである。
例えば、図５（Ｃ）に示すようにパルス信号Ｓ７のレベルが変化すると、帰還信号Ｓ４のレベルは図５（Ｄ）に示すように変化する。
【００１２】
ローパスフィルタ５は、帰還信号Ｓ４に対して、遮断周波数１／（２πＲＣ）〔Ｈｚ〕で、低域通過フィルタリングを行い、フィルタリングされた帰還信号Ｓ５を加算器２に出力する。ここで、ハイパスフィルタ１及びローパスフィルタ５の遮断周波数は、共に１／（２πＲＣ）〔Ｈｚ〕に設定されている。つまり、このローパスフィルタ５は、ハイパスフィルタ１に対して相補的な周波数特性を有しているので、このローパスフィルタ５から出力された帰還信号Ｓ５には、ハイパスフィルタ１において失われた再生信号Ｓ０の低域成分が含まれている。
ローパスフィルタ５は、図４に示すように、コンデンサ１１および抵抗１２を配置することで、帰還信号Ｓ４に対して、ローパスフィルタとしての機能を発揮する。
例えば、２値化信号Ｓ３の波形が図２（Ｃ）に示すような場合に、帰還信号Ｓ５の波形は、図２（Ｄ）に示すようになる。
【００１３】
エンベロープ検波回路６は、再生信号Ｓ０を入力し、そのエンベロープ（包絡線）検波を行い、検波信号Ｓ６をパルス生成回路７に出力する。
例えば、再生信号Ｓ０の波形が図５（Ａ）に示すような場合に、包絡線検波信号Ｓ６の波形は図５（Ｂ）に示すようになる。
【００１４】
パルス生成回路７は、所定の比較レベルで、包絡線検波信号Ｓ６をパルス化したパルス信号Ｓ７をゲイン制御回路４に出力する。
例えば、包絡線検波信号Ｓ６の波形が図５（Ｂ）に示すような場合に、パルス信号Ｓ７の波形は図５（Ｃ）に示すようになる。
【００１５】
次に、図１に示した光ディスク装置における信号再生回路を用いた再生信号の低域成分の除去方法について、図２（Ａ）から（Ｅ）を参照して説明する。
まず、図２（Ａ）に示されるような光ディスクからの再生信号Ｓ０が、図１に示す光ディスク再生装置に用いる信号再生回路１０に供給される。この供給された再生信号Ｓ０は、ハイパスフィルタ１によって、再生信号Ｓ０の低周波数成分が除去される。例えば、このハイパスフィルタ１に図２（Ａ）に示されるような再生信号Ｓ０が供給された場合には、このハイパスフィルタ１からは、図２（Ｂ）で示されるような低域成分が除去された再生信号Ｓ１が出力される。次に、この再生信号Ｓ１は、コンパレータ回路３に出力される。このコンパレータ回路３は、入力した再生信号Ｓ１を、所定レベルと比較することによって符号化する。例えば、図２（Ｂ）に示されるような再生信号Ｓ１が、このコンパレータ回路３に入力された場合には、このコンパレータ回路３からは、図２（Ｃ）に示されるような、符号化された信号Ｓ３が出力される。この符号化された信号Ｓ３はゲイン制御回路４に供給される。
【００１６】
このゲイン制御回路４は、パルス生成回路７からのパルス信号Ｓ７に応答して、符号化された信号Ｓ３のゲインを制御する。この低域成分の除去方法に関する説明においては、説明の都合上、ゲイン制御回路４において、符号化された信号Ｓ３のゲインは全く制御されないと仮定することにする。従って、この場合、ゲイン制御回路４からの出力信号Ｓ４は、ローパスフィルタ５に供給される。尚、このゲイン制御回路４の具体的な制御動作については後述する。
【００１７】
ローパスフィルタ５は、出力信号Ｓ４（上述した例では、出力信号Ｓ４は信号Ｓ３と同じ信号である）の低周波成分のみを通過させる。例えば、図２（Ｃ）に示されるような出力信号Ｓ４が供給された場合には、このローパスフィルタ５からは、図２（Ｄ）に示されるような、出力信号Ｓ５が出力される。このローパスフィルタ５は、ハイパスフィルタ１と同じ遮断周波数の相補的な周波数特性を有しているので、このローパスフィルタから出力される出力信号Ｓ５の期間Ｔ２における部分は、ハイパスフィルタ１によって除去された低周波数成分を有した信号の期間Ｔ２における部分と全く同じである。このローパスフィルタ５の出力信号５は加算回路２に供給される。
【００１８】
加算回路２は、ハイパスフィルタ１からの再生信号Ｓ１とローパスフィルタ５からの出力信号Ｓ５とを加算する。この加算回路２において加算された加算信号Ｓ２は、図２（Ｅ）に示すように、期間Ｔ２においてローパスフィルタ５の影響を受けていない信号となっている。
ここで、このローパスフィルタ５を設けた理由について、再び，図２を参照して説明する。
【００１９】
まず、図２に示される例において、期間“Ｔ１”を再生信号Ｓ０が高周波数を有する期間として定義し、期間“Ｔ２”を再生信号Ｓ０が高周波数を有さない期間として定義する。
ハイパスフィルタ１は、期間Ｔ１および期間Ｔ２に係わらず、フィルタに設定された所定の周波数特性によって、低周波数成分をカットする。よって、再生信号Ｓ１の期間Ｔ１の部分の低周波数成分をカットするだけでなく、本来カットしてはいけない再生信号Ｓ１の期間Ｔ２の部分の低周波数成分までもカットしてしまう。
【００２０】
図２に示される例では、符号化された信号に誤り信号は発生していないが、例えば、期間Ｔ２において、光ディスク上のゴミ等によって再生信号レベルが僅かに低下したとすると、それに伴ってハイパスフィルタ１からの再生出力Ｓ１のレベルが低下する。その結果、低下した再生信号Ｓ１のレベルが、再生信号Ｓ１を符号化するためのコンパレータ３のスレッシュホールド（しきい値）のレベルより低くなってしまい、この結果、誤った符号化を行なってしまうことがある。
【００２１】
この誤った符号化を防止するために、ハイパスフィルタ１の遮断周波数と同じ遮断周波数を有し相補的な周波数特性を有するローパスフィルタ５を設け、期間Ｔ２における再生信号Ｓ１に対して、ハイパスフィルタ１によってカットされてしまった周波数成分を、ローパスフィルタ５によって補償するようにしている。よって、この信号再生回路１０から出力される最終的な信号の期間Ｔ２だけを見ると、ハイパスフィルタ１によって再生信号Ｓ０の低周波数成分が除去されるが、ローパスフィルタ５と加算回路２によって、ハイパスフィルタ１によって除去された低周波数成分が、再び加算される。結果的には、再生信号Ｓ０の期間Ｔ２の部分は、何ら帯域制限を受けていないと同じことである。
【００２２】
以上説明したように、このハイパスフィルタ１とローパスフィルタ５とを含んだ帯域制限手段の動作をまとめると、次のようになる。この帯域制限手段は、再生信号Ｓ０が高い周波数を有する期間Ｔ１では、ハイパスフィルタによって再生信号Ｓ０に含まれる低周波数成分を除去するような帯域制限を行い、再生信号Ｓ０が上記高い周波数を有していない期間Ｔ２では、ハイパスフィルタによって再生信号Ｓ０に対して何らの帯域制限も行なわない。
【００２３】
次に、光ディスクからの再生信号のレベルが変動した場合における信号再生回路１０の動作について、図５を参照して説明する。
例えば、図５（Ａ）に示すように、再生信号Ｓ０の振幅がＡのときには、エンベロープ検波回路６でエンベロープ（包絡線）検波した検波信号Ｓ６の振幅は、比較レベルＣより大きいことから、パルス信号Ｓ７は、ハイレベル（第２論理レベル）になる。その結果、図３に示すゲイン制御回路４のスイッチ２４は開いた状態になっており、帰還信号Ｓ４の振幅は、再生信号Ｓ０の振幅と等しい振幅Ａになっている。
【００２４】
その後、例えば、光ディスク表面の汚れやゴミなどによって、図５（Ａ）に示すように、再生信号Ｓ０が局所的に振幅Ｂに低下する。
このように、再生信号Ｓ０の振幅が低下すると、エンベロープ検波回路６でエンベロープ（包絡線）検波した検波信号Ｓ６の振幅が、比較レベルＣに達した時点で、パルス信号Ｓ７がローレベル（第１論理レベル）になり、図４に示すスイッチ２４がオンになる。
スイッチ２４がオンになると、図５（Ｄ）に示すように、帰還信号Ｓ４の振幅が、再生信号Ｓ０と同じ振幅Ｂになる。
【００２５】
以上説明したように、本実施の形態の光ディスク再生装置に用いる信号再生回路１０によれば、光ディスクの表面の汚れやゴミなどによって、再生信号Ｓ０の振幅が局所的に低下した場合でも、それに対応させて、帰還信号Ｓ４の振幅を低下させることができる。それによって、帰還ループが発散することを効果的に抑制できる。従って、低域ノイズの影響を受けることなく、また、再生信号の振幅が低下した部分においてもデータ検出を高精度に行うことができ、記録媒体（光ディスク）の高密度化を図ることもできる。
【００２６】
ところで、光ディスク再生装置に用いる信号再生回路１０には、ある程度の振幅（ゲイン）低下が生じても振幅を一定に維持するように、図示しないＡＧＣ（自動ゲイン制御）回路が設けてあるが、そのようなＡＧＣ回路が対応できないような局所的な振幅低下に対しても、光ディスク再生装置１０は適切に対処することができる。
【００２７】
本発明は上述した実施形態には限定されない。例えば、上述した実施形態では、図３に示すようにゲイン制御回路４のゲイン切り換えを２段階に設定したが、固定抵抗２２，２３と並列にさらに幾つかかの固定抵抗およびスイッチを設けることで、振幅の低下を３以上の段階で行うこともできる。これにより、再生信号の振幅低下箇所での検出誤りを減らすことができ、さらに高精度な検出を行うことができる。また、必要な場合には、再生信号の振幅低下のみならず、部分的な増大に対応することも可能である。また、図３に示すゲイン制御回路４は、スイッチ２４によって抵抗値を切り換えるのではなく、可逆抵抗を用いるようにしてもよい。
【００２８】
また、前述した実施形態では、図１に示すようにパルス信号Ｓ７に基づいて、ゲイン制御回路４のゲイン調整を行ったが、検波信号Ｓ６に基づいて、ゲイン調整を行うような構成にすることも可能である。
【００２９】
【発明の効果】
以上説明したように、本発明によれば、光ディスクの表面の汚れやゴミなどによって、再生信号の振幅が局所的に低下した場合でも、それに対応させて、帰還信号の振幅を低下させることができる。それによって、帰還ループが発散することを効果的に抑制できる。従って、低域ノイズの影響を受けることなく、また、再生信号の振幅が低下した部分においてもデータ検出を高精度に行うことができ、記録媒体の高密度化を図ることもできる。
【図面の簡単な説明】
【図１】  本発明の実施形態に係わる光ディスク再生装置に用いる信号再生回路の構成図である。
【図２】  （Ａ）は再生信号Ｓ０の波形図、（Ｂ）はハイパスフィルタ通過後の再生信号Ｓ１の波形図、（Ｃ）は２値化信号Ｓ３の波形図、（Ｄ）は帰還信号Ｓ５の波形図、（Ｅ）は加算信号Ｓ２の波形図である。
【図３】  図１に示すゲイン制御回路の構成図である。
【図４】  図１に示すハイパスフィルタおよびローパスフィルタの具体的構成例である。
【図５】  （Ａ）は再生信号Ｓ０の波形図、（Ｂ）は検波信号Ｓ６の波形図、（Ｃ）はパルス信号Ｓ７の波形図、（Ｄ）は帰還信号Ｓ４の波形図である。
【符号の説明】
１…ハイパスフィルタ、２…加算器２、３…コンパレータ回路、４…ゲイン制御回路、５…ローパスフィルタ、６…エンベロープ検波回路、７…パルス生成回路、１０…光ディスク再生装置に用いる信号再生回路、１１…コンデンサ、１２…抵抗
【図１】
0003941166.tif 000002
【図２】
0003941166.tif 000003
【図３】
0003941166.tif 000004
【図４】
0003941166.tif 000005
【図５】
0003941166.tif 000006